(57)【要約】【課題】ガレージ内の駐車スペースに関係なく好適なる収納スペースを構築し、しかも該収納スペースの有効利用を図る。【解決手段】建物１０において、ガレージ２２の一隅部には、上述したスキップ床２７（第２居室２４の床面）と同じ高さでスキップ床３３が設けられており、そのスキップ床３３と一階／二階部分の境界部１５との間に収納室３４が形成されている。スキップ床３３は、ガレージ開口部３１とは反対側のスペースに、すなわち車両進入方向で言って奥側に、同ガレージ２２内の床面積の約半分程度の床面積で設けられている。【選択図】      図１
2008014046.tif 000002
【特許請求の範囲】
【請求項１】
ガレージを一体的に設けた建物であって、
前記ガレージ内における車両の進入方向奥側に、ガレージ床面積よりも小さい床面積を有しかつその下方において少なくとも車両の一部を収納可能とするスキップ床を設け、該スキップ床とガレージ天井部との間を収納スペースとしたことを特徴とする建物。
【請求項２】
前記収納スペースに対して、少なくともガレージ内の駐車スペースを含む異なる２方向からアクセス可能としたことを特徴とする請求項１に記載の建物。
【請求項３】
下階に前記ガレージを設けるとともに、その直上階に上階部屋を設けた建物において、
前記収納スペースに対して、前記駐車スペース以外に前記上階部屋からアクセス可能としたことを特徴とする請求項２に記載の建物。
【請求項４】
前記上階部屋の床面にアクセス口を設けるとともに、そのアクセス口を開閉する蓋体を設け、その蓋体を開くことで前記アクセス口を通じて前記収納スペースにアクセス可能としたことを特徴とする請求項３に記載の建物。
【請求項５】
前記収納スペース内に、前記アクセス口に対して昇降する昇降装置を設置したことを特徴とする請求項４に記載の建物。
【請求項６】
壁部を隔てて前記ガレージに隣接して設けられる隣部屋を備え、それらガレージと隣部屋との間の壁部に設けたアクセス口を通じて前記収納スペースにアクセス可能としたことを特徴とする請求項２乃至５のいずれかに記載の建物。
【請求項７】
前記収納スペースのスキップ床と前記隣部屋の床とを同じ高さとしたことを特徴とする請求項６に記載の建物。
【請求項８】
前記ガレージの車両出入り口に車両及び人の出入りを規制する開閉部材を設けた建物であって、
前記開閉部材が閉状態である場合のみ前記駐車スペース以外から前記収納スペースへのアクセスを許可することを特徴とする請求項２乃至７のいずれかに記載の建物。
【請求項９】
前記収納スペースの高さを、１．４ｍ以下としたことを特徴とする請求項１乃至８のいずれかに記載の建物。
【請求項１０】
前記ガレージ内においてガレージ床面から前記スキップ床までの高さを、１．８ｍ以上としたことを特徴とする請求項１乃至９のいずれかに記載の建物。
【請求項１１】
基礎上に、建物の全体構造を構成する主架構を構築するとともにその主架構から独立してなるスキップ架構を構築し、当該スキップ架構により前記スキップ床を支持する構成としたことを特徴とする請求項１乃至１０のいずれかに記載の建物。
【請求項１２】
前記スキップ架構を、前記主架構とは別の位置で基礎に連結することにより自立させたことを特徴とする請求項１１に記載の建物。
【請求項１３】
前記主架構側の柱等に固定した壁材等の内装材と前記スキップ床とを相対移動可能に構成したことを特徴とする請求項１１又は１２に記載の建物。
【請求項１４】
建物の全体構造を構成する主架構の上階床梁に連結させてスキップ架構を構築し、当該スキップ架構により前記スキップ床を支持する構成としたことを特徴とする請求項１乃至１０のいずれかに記載の建物。
【請求項１５】
前記スキップ架構を前記上階床梁から吊り下げて設けたことを特徴とする請求項１４に記載の建物。
【発明の詳細な説明】
【技術分野】
【０００１】
本発明は、ガレージ（車庫）と居室等の部屋とを隣接させて一体的に設けた建物に関するものである。
【背景技術】
【０００２】
住宅等の建物において、その一階部分にガレージを一体的に設けた、いわゆるインナガレージ式の建物が知られている。例えば、特許文献１に開示された建物では、車高の異なる複数台の車両を駐車可能とするインナガレージを有し、そのインナガレージの天井高さを各車両に応じたものとしている。また、低位天井側の懐部に収納部を設ける構成としている。かかる技術によれば、ガレージの内部空間の有効利用が可能となっていた。
【０００３】
しかしながら上記構成は、少なくとも２台分の車両（自動車）を駐車することを前提とした技術であり、１台分の駐車スペースしか有しない建物の場合、適用できる技術ではなかった。つまり、ガレージ付き建物として、単一の駐車スペースを有するものも数多く存在しており、改善の余地が残されている。
【特許文献１】特開２０００−８７５８３号公報
【発明の開示】
【発明が解決しようとする課題】
【０００４】
本発明は、ガレージ内の駐車スペースの大きさに関係なく好適なる収納スペースを構築し、しかも該収納スペースの有効利用を図ることができる建物を提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施形態において対応する構成例を括弧書き等で適宜示すが、この括弧書き等で示した具体的構成に限定されるものではない。
【０００６】
手段１．ガレージ（ガレージ２２）を一体的に設けた建物（建物１０）であって、
ガレージ内における車両の進入方向奥側に、ガレージ床面積よりも小さい床面積を有しかつその下方において少なくとも車両の一部を収納可能とするスキップ床（スキップ床３３）を設け、該スキップ床とガレージ天井部（境界部１５）との間を収納スペース（収納室３４）としたことを特徴とする。
【０００７】
上記構成によれば、スキップ床により形成される収納スペースは、車両の進入方向奥側に設けられており、収納スペースとそれ以外の駐車スペースとの間で物品等の受け渡し（収納スペースへの物品の格納及び引き出し）が可能となっている。かかる場合、複数台の駐車スペースを有しない構成であっても、上記のような物品の受け渡しが実現できる。このとき、スキップ床はガレージ床面積よりも小さい床面積を有するものであるため、ガレージ内において、スキップ床に対して車両の屋根部を近接させ、スキップ床と車両の屋根部との間で物品等の受け渡しを行うことができる。以上のとおり、１台分の駐車スペースしか有していない建物であっても、ガレージ上部に収納スペースを構築でき、その収納スペースの有効利用が可能となる。
【０００８】
なお、例えばスキップ床の床面積は、ガレージ床面積に対して半分程度の大きさであると良い。
【０００９】
手段２．手段１において、前記収納スペースに対して、少なくともガレージ内の駐車スペースを含む異なる２方向からアクセス可能とする。具体的には、ガレージ内の駐車スペース及びそれ以外の方向からアクセス可能な、少なくとも２つのアクセス口を設けている。この場合、ガレージ内の駐車スペースに加え、それ以外の方向から収納スペースに対してアクセス可能となることで、その使い勝手が向上する。
【００１０】
手段３．手段２において、下階に前記ガレージを設けるとともに、その直上階に上階部屋（第３居室２５）を設けた建物において、前記収納スペースに対して、前記駐車スペース以外に上階部屋からアクセス可能とする。具体的には、収納スペースと上階部屋とを連通するアクセス口（開口部３７）を設けている。この場合、ガレージと上階部屋とで収納スペースの共用が可能となる。また、収納スペースを経由して、ガレージの駐車スペースと上階部屋との間で物品等の受け渡しが可能となる。
【００１１】
手段４．手段３において、前記上階部屋の床面にアクセス口（開口部３７）を設けるとともに、そのアクセス口を開閉する蓋体（床蓋体３９）を設け、その蓋体を開くことで前記アクセス口を通じて前記収納スペースにアクセス可能とする。この場合、上階部屋において必要に応じて蓋体を開けることにより、その階下の収納スペースを好適に用いることができる。
【００１２】
手段５．手段４において、前記収納スペース内に、前記アクセス口に対して昇降する昇降装置（昇降台７１）を設置する。この場合、昇降装置を使うことにより、収納スペースと上階部屋との間における物品等の受け渡しを容易に行うことができる。なお、昇降装置が水平方向に移動可能であると良い。また、収納スペースに複数の昇降装置を設けても良い。
【００１３】
手段６．手段２乃至５のいずれかにおいて、壁部を隔てて前記ガレージに隣接して設けられる隣部屋（第２居室２４）を備え、それらガレージと隣部屋との間の壁部に設けたアクセス口（開口部３６）を通じて前記収納スペースにアクセス可能とする。この場合、上記したように、少なくともガレージ内の駐車スペースを含む異なる２方向からアクセス可能であることを前提とすれば、ガレージとそれに隣接する部屋（隣部屋）とで収納スペースの共用が可能となる。また、収納スペースを経由して、ガレージとその隣部屋との間で物品等の受け渡しが可能となる。
【００１４】
手段７．手段６において、前記収納スペースのスキップ床と前記隣部屋の床とを同じ高さとする。この場合、収納スペースとその隣部屋との間において、同じ高さの床上で物品等の出し入れが可能となり、利便性の高い構造が実現できる。
【００１５】
手段８．手段２乃至７のいずれかにおいて、ガレージの車両出入り口（ガレージ開口部３１）に車両及び人の出入りを規制する開閉部材（シャッタ３２）を設けた建物であって、前記開閉部材が閉状態である場合のみ前記駐車スペース以外から前記収納スペースへのアクセスを許可する。これにより、ガレージ内の収納スペースから居室等に不審者が侵入することが防止でき、建物の防犯性を高めることができる。
【００１６】
手段９．手段１乃至８のいずれかにおいて、収納スペースの高さを、１．４ｍ以下とする。１．４ｍを上限とすることで、建築基準法上、収納スペースが居室とみなされない点で有利となるからである。なお、収納スペースの高さの下限を１ｍとすれば（高さ範囲を１〜１．４ｍとすれば）、同収納スペースへの人の出入りが容易となり、物品等の出し入れを容易に行うことができる。
【００１７】
手段１０．手段１乃至９のいずれかにおいて、前記ガレージ内においてガレージ床面から前記スキップ床までの高さを、１．８ｍ以上とする。望ましくは、スキップ床下方のガレージ高さを１．８５〜２ｍの範囲で規定する。これにより、比較的車高の高い車両（ワンボックス車、ＲＶ車等）であっても、スキップ床下方の駐車スペースに車両の収納が可能となる。
【００１８】
手段１１．手段１乃至１０のいずれかにおいて、基礎（基礎１１）上に、建物の全体構造を構成する主架構（主架構Ｋ１）を構築するとともにその主架構から独立してなるスキップ架構（スキップ架構Ｋ２）を構築し、当該スキップ架構により前記スキップ床を支持する構成とする。この場合、スキップ架構を、主架構とは別の位置で基礎に連結することにより自立させると良い（手段１２）。具体的構成として、スキップ架構は、少なくとも複数のスキップ柱と各スキップ柱に繋がれたスキップ床梁とを備え、基礎の側面に支持金具を設け、当該支持金具に各スキップ柱を固定することが一層好ましい。
【００１９】
上記構成では、主架構とスキップ架構とがそれぞれ独立して設けられることにより、スキップ架構の追加によって主架構の構造計算が複雑になることがなく、量産化やレイアウトの多様化に適したものとなる。また、スキップ架構を独立して設定するには、基礎に対してスキップ架構を連結して自立させるようにすれば済む。この場合、スキップ架構用の基礎を別途追加することも考えられるが、主架構に利用する基礎の側面に支持金具を設けてその支持金具にスキップ架構のスキップ柱を固定するようにすれば、スキップ架構専用の基礎が不要となってコスト面で有利となる。
【００２０】
手段１３．手段１１又は１２において、前記主架構側の柱等に固定した壁材等の内装材と前記スキップ床とを相対移動可能に構成する。要するに、上記のように主架構から独立してスキップ架構を設けた構成では、地震等により建物が揺れた場合に、主架構とスキップ架構とで個別の揺れが生じる。つまり、主架構側の内装材とスキップ床とが個別に振動し、それに起因して内装材の破損などが生じるおそれがある。この点、主架構側の内装材とスキップ床とを相対移動可能に構成することで、内装材の破損などが抑制できる。
【００２１】
手段１４．手段１乃至１０のいずれかにおいて、建物の全体構造を構成する主架構（主架構Ｋ１）の上階床梁に連結させてスキップ架構（スキップ架構Ｋ２）を構築し、当該スキップ架構により前記スキップ床を支持する構成とする。この場合、スキップ架構を上階床梁から吊り下げて設けると良い（手段１５）。その他、スキップ架構のスキップ床梁と上階床梁とを耐力壁で繋ぐと良い。
【００２２】
上記構成では、上階床梁とスキップ架構とを一体の上階床構造体とみなすことができる。したがって、主架構の構造計算上、スキップ架構を上階床梁の付属部分とみなすことができるため、スキップ架構の追加によって主架構の構造計算が複雑になることがなく、量産化に適している。また、上階床梁とスキップ架構とを一体の上階床構造体とみなせるように構成するには、スキップ架構のスキップ床梁と上階床梁とを耐力壁で繋ぐことによって容易に実現することができる。
【００２３】
上記のように上階床梁とスキップ架構とを一体の上階床構造体とする構成では、地震等により建物が揺れた場合に、主架構とスキップ架構とで同様の揺れが生じる。そのため、主架構から独立してスキップ架構を設けた上記構成とは異なり、主架構側の内装材とスキップ床とを相対移動可能とする構成が不要となっている。
【００２４】
以下に、本明細書の開示範囲内において上記以外に抽出可能な技術的思想を記載する。
【００２５】
（１）下階部分及び上階部分を分ける境界部（境界部１５）とは異なる高さ位置にスキップ床（スキップ床３３）を設けた建物であって、
前記スキップ床と前記境界部との間に形成される収納スペース（収納室３４）に対し、当該収納スペースに隣接する少なくとも２つ以上の空間部（ガレージ、居室等）からアクセス可能としたことを特徴とする建物。具体的には、収納スペースに隣接する各空間部から同収納スペースへのアクセスを可能とする、少なくとも２つのアクセス口を設けている。
【００２６】
（２）下階部分及び上階部分を分ける境界部（境界部１５）とは異なる高さ位置にスキップ床（スキップ床３３）を設けた建物であって、
前記スキップ床と前記境界部との間に形成される収納スペース（収納室３４）に対し、当該収納スペースに隣接する上階空間部（第３居室２５）、下階空間部（ガレージ２２の駐車スペース）及び同位空間部（第２居室２４）のそれぞれからアクセス可能としたことを特徴とする建物。
【００２７】
具体的には、上階空間部から収納スペースへのアクセスを可能とする第１アクセス口（開口部３７）と、下階空間部から収納スペースへのアクセスを可能とする第２アクセス口（開口部３５）と、同位空間部から収納スペースへのアクセスを可能とする第３アクセス口（開口部３６）とを設けている。なお、「同位空間部」は、その床面が収納スペースの床面と同じ高さであると良く、その意味では「同床高さ空間部」であるとも言える。
【００２８】
上記（１），（２）によれば、収納スペースを利用する際の利便性が大いに向上できる。上記（１），（２）は、上述した各手段の技術内容と任意に組み合わせて実現が可能である。特に、上記（１），（２）に関する建物構造として手段１１や手段１４の技術内容が適用でき、その技術的思想を以下に示す。
【００２９】
（３）上記（１）又は（２）において、基礎（基礎１１）上に、建物の全体構造を構成する主架構（主架構Ｋ１）を構築するとともにその主架構から独立してなるスキップ架構（スキップ架構Ｋ２）を構築し、当該スキップ架構により前記スキップ床を支持する構成としたことを特徴とする建物。
【００３０】
（４）上記（１），（２）において、建物の全体構造を構成する主架構（主架構Ｋ１）の上階床梁に連結させてスキップ架構（スキップ架構Ｋ２）を構築し、当該スキップ架構により前記スキップ床を支持する構成としたことを特徴とする建物。
【発明を実施するための最良の形態】
【００３１】
以下に、発明を具体化した一実施形態である建物について図面を参照しつつ説明する。図１は本実施形態の建物全体を示す概略縦断面図である。本実施形態では、建物１０として、鋼材を利用した骨組構造を有する二階建て住宅を例示しており、この骨組構造に外壁その他の各種建築材が設けられて構築されるものとなっている。
【００３２】
（建物の全体構成についての説明）
図１に示すように、建物１０は、基礎１１上に形成された下階部分としての一階部分１２と、その一階部分１２の上方に連続して形成された上階部分としての二階部分１３と、その二階部分１３の上方に形成された屋根部分１４とを備えている。なおここでは詳細な説明は省略するが、一階部分１２と二階部分１３との境界部１５は、周知のように一階天井面と二階床面とを含むそれらの間にある各部材によって構成されている。
【００３３】
建物１０の一階部分１２には、例えば第１居室２１とガレージ２２とがそれぞれ形成され、同二階部分１３には、例えば第２居室２４と第３居室２５とが形成されている。特に本実施形態では、一階部分１２において、一階／二階部分の境界部１５よりも低位にスキップ床２７が設けられており、そのスキップ床２７の下方に第１居室２１が形成されている。また、第１居室２１は、その床面が一般的な住宅建物の床面よりも低位に、すなわち基礎１１と一階部分１２との境界部よりも低位に設けられている。より具体的には、第１居室２１の床面が基礎１１の天端よりも低位に配置されることで、第１居室２１の床面が一般的な住宅建物の床面よりも低くなっている。これにより、一階部分１２にスキップ床２７が設けられた上記構成にあっても、第１居室２１において十分な天井高さが確保されている。この場合、基礎１１の高さを低くすることで、スキップ床２７の十分な高さを確保するようにしても良い（後述するスキップ床３３も同様）。
【００３４】
第１居室２１の上方に形成される第２居室２４は、スキップ床２７と二階部分１３の天井部分との間に形成されており、上述したように一階／二階部分の境界部１５よりも低位にスキップ床２７が設けられたことに伴い、その居室内の高さ寸法が他の居室よりも大きいものとなっている。この場合、第２居室２４には、あたかも吹き抜け空間のような居室空間が形成されている。なお、ガレージ上方の第３居室２５は、例えばリビング・ダイニング・キッチン（ＬＤＫ）として利用される。
【００３５】
ガレージ２２は、およそ地上線（ＧＬ）に設定されるガレージ床面と一階／二階部分の境界部１５との間に形成されており、建物１０の外壁の一部に形成されたガレージ開口部３１を通じて自動車や人の出入りが可能となっている。ガレージ２２は、図の左右方向を車両進退方向として自動車を駐車するものとなっており、少なくとも車両１台の駐車が可能な横幅（紙面直交方向の幅）を有する。ガレージ開口部３１には、手動又は電動で開閉されるシャッタ３２が設けられている。なお、シャッタ３２としては、上下開閉式のものや横引き式のもの等が採用される。ガレージ２２の構成として、複数台の車両を横並びに又は縦並びに駐車可能としたり、ガレージ開口部３１にシャッタ３２などの開閉部材を設けない構成としたりすることも可能である。
【００３６】
ガレージ２２の一隅部には、上述したスキップ床２７（第２居室２４の床面）と同じ高さでスキップ床３３が設けられており、そのスキップ床３３と一階／二階部分の境界部１５との間に収納室３４が形成されている。スキップ床３３は、ガレージ開口部３１とは反対側のスペースに、すなわち車両進入方向で言って奥側に、同ガレージ２２内の床面積の約半分程度の床面積で設けられている。なお、収納室３４は、ガレージ２２内の駐車スペース側に開放され、その開放端部が開口部３５となっているが、開口部３５（収納室３４の駐車スペース側境界端部）に開き戸や囲い等を設ける構成としても良い。
【００３７】
収納室３４及び第２居室２４を仕切る壁部と、収納室３４の上方にある一階／二階部分の境界部１５とにはそれぞれ開口部３６，３７が形成され、それらの各開口部３６，３７には出入ドア３８と床蓋体３９とがそれぞれ設けられている。かかる構成では、出入ドア３８を開くことで、開口部３６を通じて第２居室２４から収納室３４に家人が出入りできるようになっている。また、床蓋体３９を開くことで、開口部３７を通じて第３居室２５と収納室３４との間での物品等の引き渡し（収納や取り出し）を行うことができるようになっている。一階／二階部分の境界部１５とスキップ床３３との間に、例えば収納式の階段や梯子を設け、この階段等を用い開口部３７を通じて収納室３４への出入りを可能としても良い。
【００３８】
ガレージ２２内において収納室３４の下方エリアの高さＨ１は１．８５〜２ｍ程度に設定され、収納室３４内の高さＨ２は１ｍ〜１．４ｍの範囲に設定されている。ガレージ２２内の高さＨ１を１．８５〜２ｍ程度とすることにより、ワンボックスタイプの車両やＲＶ（レクリエーションビークル）タイプの車両など、比較的車高の高い自動車であっても駐車が可能となっている。つまり、スキップ床３３の下方エリアまで車両を進入させることが可能となっている。また、収納室３４内の高さＨ２について、１．４ｍを上限としたのは、建築基準法上、居室とみなされないための上限値だからであり、１ｍを下限としたのは、収納室３４内の空間に家人が容易に立ち入ることができるとともに収納力を高めるためである。
【００３９】
（収納スペース形成に関する具体的構造の説明）
次に、上記建物１０においてガレージ２２に関する具体的構造を図２に基づいて説明する。図２は、ガレージ２２について収納室３４を含む部位の具体的構造を示す正面図である。本実施形態の建物１０では、その全体構造を構成する主架構Ｋ１と、収納スペース構築のためのスキップ架構Ｋ２とを備えており、以下の説明では、主架構Ｋ１とスキップ架構Ｋ２とを分けてその具体的に構造を説明する。
【００４０】
まず主架構Ｋ１について説明すると、基礎１１上には複数の下階柱４１が立設されており（図２には１つのみ示す）、その下階柱４１の上端には水平方向に延びる上階床梁４２が連結されている。その連結構造は、例えばコーナ金具（図示略）がそれぞれにボルト止めされたり溶接されたりすることにより実現されている。この上階床梁４２やその他下階天井材及び上階床材等により、一階／二階部分の境界部１５（図１参照）が構築されている。なお、上階床梁４２の上方に構築される二階部分の構造については省略するが、上階床梁４２には例えばコーナ金具がそれぞれにボルト止めされたり溶接されたりすることにより上階柱（図示略）の下端が連結されている。
【００４１】
次いで、スキップ架構Ｋ２について説明する。上階床梁４２には、その下方に延びる複数本のスキップ柱４３ａ〜４３ｄが連結されており、そのスキップ柱４３ａ〜４３ｄの下端部に、水平方向に延びるスキップ床梁４４が連結されている。その連結構造は、例えばコーナ金具がそれぞれにボルト止めされたり溶接されたりすることにより実現される。なお、図面では確認できないが、下階柱４１とスキップ柱４３ｄとは正面視で前後に並ぶようにして配設されている。スキップ床梁４４においてその上部に図示しないスキップ床材が設置されるとともにその下部に天井材が設置されることにより、ガレージ２２内において収納室３４とその下方の駐車スペースとの境界部（スキップ床３３）が構築されている。
【００４２】
そして、上階床梁４２とスキップ床梁４４との間の各スキップ柱４３ａ〜４３ｄに筋交い４５を交差するように施すことで、スキップ架構Ｋ２の側面の少なくとも一部を耐力壁としている。この耐力壁が上階床梁４２に連結されることで、構造計算上はスキップ架構Ｋ２により構築される収納室３４を主架構Ｋ１の上階床部分の一部とみなすことができるようにしている。
【００４３】
また、図３には、ガレージ２２に関する他の具体的構造を示している。図３は、図１におけるＡ−Ａ線断面図である。
【００４４】
図３では、まず主架構Ｋ１として、基礎１１のうちガレージ２２の両側に対応する基礎１１ａ，１１ｂ上にそれぞれ下階柱４１ａ，４１ｂが立設されており、それら各下階柱４１ａ，４１ｂの上端には水平方向に延びる上階床梁４２が連結されている（図２と同様）。
【００４５】
また、スキップ架構Ｋ２として、基礎１１ａ，１１ｂには、互いに向き合う側面にそれぞれ上下一対の支持金具５１ａ，５１ｂが設けられている。各支持金具５１ａ，５１ｂは、基礎１１ａ，１１ｂのコンクリート内部に設けられた図示しない鋼製フレームに固定されている。詳しくは、鋼製フレームに各支持金具５１ａ，５１ｂを固定した状態で基礎型枠にコンクリートを流し込むことで、基礎１１ａ，１１ｂと一体化された高剛性の支持金具５１ａ，５１ｂが得られるようになっている。
【００４６】
各支持金具５１ａ，５１ｂには、それぞれスキップ柱５２ａ，５２ｂが鉛直方向に延びるようにしてボルト止めや溶接等により固定されている。なお、図面では正面視のため一対のスキップ柱５２ａ，５２ｂのみが見えるようになっているが、実際には収納室３４の平面視で少なくとも四隅となる位置にそれぞれスキップ柱５２ａ，５２ｂが設けられている。
【００４７】
各スキップ柱５２ａ，５２ｂの上端には、水平方向に延びるスキップ床梁５３が連結されている。その連結構造は、例えばコーナ金具がそれぞれにボルト止めされたり溶接されたりすることにより実現される。スキップ床梁５３においてその上部に図示しないスキップ床材が設置されるとともにその下部に天井材が設置されることにより、ガレージ２２内において収納室３４とその下方の駐車スペースとの境界部（スキップ床３３）が構築されている。
【００４８】
（架構モデルの説明）
次に、上述した主架構Ｋ１とスキップ架構Ｋ２とを有してなる建物１０について、その架構モデルを説明する。図４には、建物の一階部分１２と二階部分１３とを単純化して表した架構モデルを示している。なお、図４（ａ）の架構モデルは上記図２の建物構造に対応し、図４（ｂ）の架構モデルは上記図３の建物構造に対応する。
【００４９】
図４（ａ）の架構モデルでは、基礎１１上に主架構Ｋ１を設けるとともに、主架構Ｋ１の上階床梁４２に対しスキップ架構Ｋ２を連結している。そして、スキップ架構Ｋ２の側面の少なくとも一面を耐力壁によって構成することで、上階床梁４２とスキップ架構Ｋ２とを一体化した耐力壁を構成している。この場合、主架構Ｋ１の構造計算上、スキップ架構Ｋ２を上階床梁４２の付属部分とみなすことができるため、従来の二階建ての建物と主架構Ｋ１を同一のものとして設計することができる利点がある。
【００５０】
図４（ｂ）の架構モデルでは、図４（ａ）との相違点として、主架構Ｋ１の内部に、その主架構Ｋ１とは独立してスキップ架構Ｋ２を設定している。具体的には、主架構Ｋ１とは別個に、基礎１１に対しスキップ架構Ｋ２を連結している。この例によれば、主架構Ｋ１の構造計算上、スキップ架構Ｋ２を考慮に入れなくて済むため、従来の二階建ての建物と主架構Ｋ１を同一のものとして設計することができる利点がある。
【００５１】
（主架構Ｋ１とスキップ架構Ｋ２との揺れの違いに関する説明）
上記図３のように主架構Ｋ１とスキップ架構Ｋ２とを独立させた骨組構造では、地震等により建物１０が揺れた場合、主架構Ｋ１とスキップ架構Ｋ２との揺れ方に相違が生じ得る。すなわち、主架構Ｋ１とスキップ架構Ｋ２とが個別に揺れ、その揺れの幅や周期はそれぞれ異なる。そうすると、両者の結合箇所における壁材や内装材が破損するおそれがある。このような破損を未然に防止する建物の構造を図５に基づいて説明する。図５は、前述の図３において主架構Ｋ１側の構成とスキップ架構Ｋ２側の構成との結合箇所を示す断面図である。
【００５２】
図５において、下階柱４１ａ及び内壁材６１，６２は主架構Ｋ１側の構成要素であり、これに対し、スキップ床梁５３及びスキップ床材６３はスキップ架構Ｋ２側の構成要素となっている。内壁材６１，６２とスキップ床材６３とは互いに連結されておらず、両者の間には緩衝材６４が配設されている。また、内壁材６２の下縁部には巾木６５が取り付けられており、巾木６５の下縁部とスキップ床材６３との間には数ｍｍ程度のクリアランスＣが設けられている。
【００５３】
この場合、地震等による建物１０の振動時には、主架構Ｋ１側の内壁材６１，６２とスキップ架構Ｋ２側のスキップ床材６３とで個別に揺れが生じ、仮にそれらが内装材等とともに固定されていると、互いの揺れ状態の違いから内装材の一部等が破損するおそれがある。この点、図５では、内壁材６１，６２とスキップ床材６３とは互い固定されておらず、また、巾木６５とスキップ床材６３との間にクリアランスＣが設けられている。本構成とすることで、主架構Ｋ１とスキップ架構Ｋ２とで個別に揺れが生じても、それら両者の相対移動が許容され、結果として壁材や内装材が破損するといった不都合が回避できる。
【００５４】
（収納室３４の使用に関する説明）
次に、ガレージ２２内に設けた収納室３４の使用事例を説明する。図６では、収納室３４に自転車Ｂが収納されており、その自転車Ｂは開口部３６を通じて第２居室２４に取り出し可能となっている。この場合、第２居室２４内において自転車Ｂの整備等を行うことができる。第２居室２４及び収納室３４の各々の床であるスキップ床２７，３３は同一高さであるため、自転車Ｂの出し入れが容易となっている。
【００５５】
また、収納室３４内の自転車Ｂは、スキップ床３３の端縁部から車両Ｋの駐車スペース側に引き降ろし可能となっている。この場合、例えば、車両Ｋ（ＲＶ車）の背後に設けたスペアタイヤ（又はリアラダー）上に乗ることで、収納室３４と車両Ｋの屋根（ルーフキャリア）との間で自転車Ｂ等の受け渡しを行うことができる。このとき、自転車Ｂ等を一旦ガレージ床上に降ろすことなく、収納室３４と車両Ｋの屋根（ルーフキャリア）との間で直接自転車Ｂ等の受け渡しを行うことができる。
【００５６】
なお、収納室３４とガレージ床面との間に例えば格納式の階段や梯子等を設置し、その階段や梯子等を使って収納室３４からガレージ床上に自転車Ｂ等を引き降ろしたり、逆にガレージ床上から収納室３４に自転車Ｂ等を引き上げたりすることも可能である。もちろん、収納室３４と車両Ｋの屋根（又はガレージ床）との間で受け渡しが行われる物品は自転車Ｂに限られない。自転車Ｂ以外にも、主に屋外で使用されるスキー・スノーボード用品、アウトドア用品（バーベキューセット、クーラボックス、キャンプ用品など）を収納室３４に収納することとすれば、居室や廊下等を汚したりすること無く各種物品の出し入れが可能となる。車両Ｋと居室とで共に用いられる用品（地図など）を保管する際も便利である。
【００５７】
また、収納室３４に対しては、第３居室２５の床部（境界部１５）に設けられた開口部３７を通じても物品の出し入れが行われる。この場合、床蓋体３９を開放することで物品の出し入れが行われる。具体的には、第３居室２５がキッチンを含む居室である場合、第３居室２５と収納室３４との間で食料品、ビン・缶類などの出し入れが行われる。その他、生ゴミや洗濯物等の出し入れを行うこともできる。また、収納室３４にほうきや掃除機などの掃除道具を収納すれば、各居室からの掃除道具の出し入れも容易となる。
【００５８】
（収納室３４に昇降装置を設けた構成）
図７に示すように、収納室３４内に昇降装置としての昇降台７１を設ける構成であってもよい。なお、図７では、床蓋体３９を両開き構成としている。
【００５９】
昇降台７１は、スキップ床３３上に設置されており、伸縮自在の脚部７１ａとその脚部７１ａ上に設けられる天板部７１ｂとを有する。脚部７１ａは手動又は電動のいずれかにより伸縮し、これにより天板部７１ｂが上下動する。すなわち、昇降台７１が開口部３７に対して昇降する。この場合、例えば、天板部７１ｂ上にクーラボックス７５を載せ、その状態で昇降台７１を昇降動作させる。これにより、収納室３４とその上階居室（第３居室２５）との間においてクーラボックス７５の出し入れを楽々行うことができる。
【００６０】
なお、昇降台７１を水平方向に移動可能とし、開口部３７の真下位置とそれ以外の位置とで移動できるようにしても良い。また、収納室３４内に昇降台７１を複数設置することも可能である。さらに、昇降装置として、昇降台７１の上面に収納トレイを一体化した構成を採用することも可能である。
【００６１】
以上詳述した本実施形態によれば、以下の優れた効果が得られる。
【００６２】
ガレージ２２内における車両の進入方向奥側に、ガレージ床面積よりも小さい床面積を有しかつその下方において車両の収納を可能とするスキップ床３３を設け、該スキップ床３３と一階／二階部分の境界部１５との間を収納室３４としたため、１台分の駐車スペースしか有していない建物であっても、ガレージ上部に収納スペースを構築でき、その収納スペースの有効利用が可能となる。
【００６３】
収納室３４に隣接する３つの空間部（ガレージ２２の駐車スペース、第２，第３居室２４，２５）のそれぞれから収納室３４に対してアクセス可能としたため、物品収納の利便性が大いに向上する。この場合、収納室３４を経由して、ガレージ２２及び各居室２４，２５の相互間の物品等の受け渡しを容易に行うことができる。
【００６４】
建物１０の骨組構造として、主架構Ｋ１の上階床梁４２に連結させてスキップ架構Ｋ２を設けたため、上階床梁４２とスキップ架構Ｋ２とを一体の上階床構造体とみなすことができる。したがって、主架構Ｋ１の構造計算上、スキップ架構Ｋ２を上階床梁４２の付属部分とみなすことができるため、スキップ架構Ｋ２の追加によって主架構Ｋ１の構造計算が複雑になることがなく、量産化に適したものとなっている。
【００６５】
又は、同じく建物１０の骨組構造として、基礎１１上に主架構Ｋ１とスキップ架構Ｋ２とを各々独立させて設けたため、スキップ架構Ｋ２の追加によって主架構Ｋ１の構造計算が複雑になることがなく、量産化やレイアウトの多様化に適したものとなっている。
【００６６】
（その他の実施形態）
本発明は上記実施形態の記載内容に限定されず、例えば次のように実施しても良い。
【００６７】
上記実施形態では、ガレージ２２内において収納室３４の下方エリアの高さＨ１（スキップ床３３の高さ）を１．８５〜２ｍ程度とし、収納室３４の下方エリアに車両を完全に収納できる構成としたが、これを変更し、同高さＨ１を車両の一部が収納できる高さ寸法としても良い。例えば、収納室３４の下方エリアの高さＨ１を１．２〜１．５ｍ程度とし、少なくとも車両のボンネット部分のみを収容できる構成とする。
【００６８】
上記実施形態では、収納室３４に隣接する３つの空間部（ガレージ２２の駐車スペース、第２，第３居室２４，２５）のそれぞれから収納室３４に対してアクセス可能としたが、これを変更する。例えば、収納室３４に隣接する複数の空間部のうち、２つの空間部のそれぞれから収納室３４に対してアクセス可能としても良い。より具体的には、収納室３４に対して、ガレージ２２の駐車スペースと第２居室２４とからアクセス可能とする。又は、収納室３４に対して、ガレージ２２の駐車スペースと第３居室２５とからアクセス可能とする。いずれにしても、収納スペースを利用する際の利便性が大いに向上できる。
【００６９】
ガレージ開口部３１に設けたシャッタ３２が閉状態である場合のみ、ガレージ２２の駐車スペース以外（すなわち、第２，第３居室２４，２５）から収納室３４へのアクセスを許可するようにしても良い。具体的には、開口部３６，３７の出入ドア３８と床蓋体３９とにそれぞれ電気錠（電気式の施錠装置）を設け、シャッタ３２の開放時には電気錠をロック状態とし、同シャッタ３２の閉鎖時には電気錠をアンロック状態とする。これにより、収納室３４から居室等に不審者が侵入することが防止でき、建物の防犯性を高めることができる。
【００７０】
本発明をユニット式建物に適用する。すなわち、ユニット式建物を構成する複数の建物ユニットにそれぞれ梁と柱とを含む骨組構造を採用し、スキップ架構を所定の建物ユニットに組み込んだり別途取り付けたりしてもよい。例えば、所定の下階用建物ユニットの天井梁にスキップ架構を吊り下げるようにして予め固定しておくことにより、現場施工の作業性を向上させつつ上記した各効果が得られる。
【図面の簡単な説明】
【００７１】
【図１】本実施形態の建物を示す概略縦断面図。
【図２】ガレージの具体的構造を示す正面図。
【図３】ガレージの具体的構造を示す縦断面図。
【図４】収納スペース構築のための架構モデルを示す説明図。
【図５】主架構側の構成とスキップ架構側の構成との結合箇所の詳細を示す断面図。
【図６】収納室の使用事例を説明するための縦断面図。
【図７】収納室に設けた昇降装置を示す構成図。
【符号の説明】
【００７２】
１０…建物、１１…基礎、１２…一階部分、１３…二階部分、１４…屋根部分、１５…境界部、２１…第１居室、２２…ガレージ、２４…第２居室、２５…第３居室、２７…スキップ床、３１…ガレージ開口部、３２…シャッタ、３３…スキップ床、３４…収納室、３５，３６，３７…開口部、３９…床蓋体、４１…下階柱、４２…上階床梁、５１…支持金具、５２…スキップ柱、５３…スキップ床梁、７１…昇降台、Ｋ１…主架構、Ｋ２…スキップ架構。
【図１】
2008014046.tif 000003
【図２】
2008014046.tif 000004
【図３】
2008014046.tif 000005
【図４】
2008014046.tif 000006
【図５】
2008014046.tif 000007
【図６】
2008014046.tif 000008
【図７】
2008014046.tif 000009